(57)【要約】【課題】シート状部材をしなやかに引出収納可能にすること。【解決手段】自動車用シートガイド１０は、シート状部材１２をガイドする装置である。自動車用シートガイド１０は、シート状部材１２と、シート状部材１２の少なくとも一方の側縁部１４に少なくとも一面側から突出する部分を含む第１の部分３２が側縁部１４の延在方向において間欠的に複数設けられると共に、複数の第１の部分３２の間に、側縁部１４の延在方向に直交する断面積が第１の部分３２より小さい第２の部分３４が設けられるか隙間があけられた被ガイド部２０と、被ガイド部３０を長手方向に沿って移動可能に支持可能な長尺形状のガイド部とを備える。【選択図】図６
2013170390.tif 000002
【特許請求の範囲】
【請求項１】
シート状部材をガイドする自動車用シートガイドであって、
前記シート状部材と、
前記シート状部材の少なくとも一方の側縁部に少なくとも一面側から突出する部分を含む第１の部分が前記側縁部の延在方向において間欠的に複数設けられると共に、前記複数の第１の部分の間に、前記側縁部の延在方向に直交する断面積が前記第１の部分より小さい第２の部分が設けられるか隙間があけられた被ガイド部と、
前記被ガイド部を、長手方向に沿って移動可能に支持可能な長尺形状のガイド部と、
を備える、自動車用シートガイド。
【請求項２】
請求項１に記載の自動車用シートガイドであって、
前記第１の部分は、前記シート状部材の両面側から突出する部分を含む、自動車用シートガイド。
【請求項３】
請求項１又は請求項２に記載の自動車用シートガイドであって、
前記被ガイド部は、前記複数の第１の部分の間に前記側縁部の延在方向に直交する断面積が前記第１の部分より小さい第２の部分が設けられた形状に形成されている、自動車用シートガイド。
【請求項４】
請求項１から請求項３のいずれか一項に記載の自動車用シートガイドであって、
前記被ガイド部は、前記シート状部材の前記側縁部における一面側から突出すると共に前記側縁部に沿って延在する突状部を含む、自動車用シートガイド。
【請求項５】
請求項１から請求項４のいずれか一項に記載の自動車用シートガイドであって、
前記第１の部分は、前記シート状部材に対して前記側縁部を挟み込む形態で固定されるガイド用部材により形成されている、自動車用シートガイド。
【請求項６】
請求項１から請求項５のいずれか一項に記載の自動車用シートガイドであって、
前記第１の部分は、前記シート状部材の前記側縁部に対して縫い付けられるガイド用部材により形成されている、自動車用シートガイド。
【請求項７】
請求項１から請求項６のいずれか一項に記載の自動車用シートガイドであって、
前記被ガイド部は、
前記シート状部材の側方に開口するＵ字形状に形成され、前記シート状部材の前記側縁部の一面側に間隔をあけて設けられた複数の一面側Ｕ字部と、
前記シート状部材の側方に開口するＵ字形状に形成され、前記シート状部材の前記側縁部の他面側に間隔をあけて設けられた複数の他面側Ｕ字部と、
を含み、
前記複数の一面側Ｕ字部と前記複数の他面側Ｕ字部とは、前記シート状部材の前記側縁部の延在方向において交互に設けられ、各端部が互い違いに連結され、
前記第１の部分は、前記シート状部材の前記側縁部の延在方向において、前記被ガイド部のうち、前記一面側Ｕ字部及び前記他面側Ｕ字部における対向する一対の直線部のうちの連結される各一方の前記直線部が前記シート状部材の前記側縁部を挟んで対向する範囲の部分であり、
前記第２の部分は、前記シート状部材の前記側縁部の延在方向において、前記被ガイド部のうちの前記第１の部分同士の間の部分である、自動車用シートガイド。
【発明の詳細な説明】
【技術分野】
【０００１】
本発明は、自動車の車内で引出収納されるシート状部材をガイドする技術に関する。
【背景技術】
【０００２】
特許文献１には、ブラインドシートの側方の両エッジ範囲に沿って可撓性で扁平な案内帯が、巻上げブラインドの引き出し方向に沿って延在するように設けられ、且つガイド内を案内されている巻上げブラインド装置が開示されている。
【先行技術文献】
【特許文献】
【０００３】
【特許文献１】特開２００８−５２０８５９号公報
【発明の概要】
【発明が解決しようとする課題】
【０００４】
しかしながら、特許文献１に記載の巻上げブラインド装置では、長手方向に沿って一様な断面形状の案内帯がシート状部材（ブラインドシート）の側方の両エッジ範囲に沿って延在するように設けられているため、しなやかさに欠け、シート状部材の巻取りおよび巻戻し動作を阻害する恐れがある。
【０００５】
そこで、本発明は、シート状部材をしなやかに引出収納可能にすることを目的とする。
【課題を解決するための手段】
【０００６】
第１の態様は、シート状部材をガイドする自動車用シートガイドであって、前記シート状部材と、前記シート状部材の少なくとも一方の側縁部に少なくとも一面側から突出する部分を含む第１の部分が前記側縁部の延在方向において間欠的に複数設けられると共に、前記複数の第１の部分の間に、前記側縁部の延在方向に直交する断面積が前記第１の部分より小さい第２の部分が設けられるか隙間があけられた被ガイド部と、前記被ガイド部を、長手方向に沿って移動可能に支持可能な長尺形状のガイド部と、を備える。
【０００７】
第２の態様は、第１の態様に係る自動車用シートガイドであって、前記第１の部分は、前記シート状部材の両面側から突出する部分を含む。
【０００８】
第３の態様は、第１又は第２の態様に係る自動車用シートガイドであって、前記被ガイド部は、前記複数の第１の部分の間に前記側縁部の延在方向に直交する断面積が前記第１の部分より小さい第２の部分が設けられた形状に形成されている。
【０００９】
第４の態様は、第１から第３のいずれか一態様に係る自動車用シートガイドであって、前記被ガイド部は、前記シート状部材の前記側縁部における一面側から突出すると共に前記側縁部に沿って延在する突状部を含む。
【００１０】
第５の態様は、第１から第４のいずれか一態様に係る自動車用シートガイドであって、前記第１の部分は、前記シート状部材に対して前記側縁部を挟み込む形態で固定されるガイド用部材により形成されている。
【００１１】
第６の態様は、第１から第５のいずれか一態様に係る自動車用シートガイドであって、前記第１の部分は、前記シート状部材の前記側縁部に対して縫い付けられるガイド用部材により形成されている。
【００１２】
第７の態様は、第１から第６のいずれか一態様に係る自動車用シートガイドであって、前記被ガイド部は、前記シート状部材の側方に開口するＵ字形状に形成され、前記シート状部材の前記側縁部の一面側に間隔をあけて設けられた複数の一面側Ｕ字部と、前記シート状部材の側方に開口するＵ字形状に形成され、前記シート状部材の前記側縁部の他面側に間隔をあけて設けられた複数の他面側Ｕ字部と、を含み、前記複数の一面側Ｕ字部と前記複数の他面側Ｕ字部とは、前記シート状部材の前記側縁部の延在方向において交互に設けられ、各端部が互い違いに連結され、前記第１の部分は、前記シート状部材の前記側縁部の延在方向において、前記被ガイド部のうち、前記一面側Ｕ字部及び前記他面側Ｕ字部における対向する一対の直線部のうちの連結される各一方の前記直線部が前記シート状部材の前記側縁部を挟んで対向する範囲の部分であり、前記第２の部分は、前記シート状部材の前記側縁部の延在方向において、前記被ガイド部のうちの前記第１の部分同士の間の部分である。
【発明の効果】
【００１３】
第１の態様に係る自動車用シートガイドによると、シート状部材の少なくとも一方の側縁部に少なくとも一面側から突出する部分を含む第１の部分が側縁部の延在方向において間欠的に複数設けられると共に、複数の第１の部分の間に、側縁部の延在方向に直交する断面積が第１の部分より小さい第２の部分が設けられるか隙間があけられた被ガイド部を、長尺形状のガイド部によりその延在方向に沿って移動可能に支持するため、シート状部材をしなやかに引出収納可能にすることができる。
【００１４】
第２の態様に係る自動車用シートガイドによると、第１の部分がシート状部材の両面側から突出する部分を含むため、ガイド部による被ガイド部のガイドをより安定させることができる。
【００１５】
第３の態様に係る自動車シート用ガイドによると、複数の第１の部分の間に側縁部の延在方向に直交する断面積が第１の部分より小さい第２の部分が設けられているため、ガイド部による被ガイド部のガイドをより安定させることができる。
【００１６】
第４の態様に係る自動車用シートガイドによると、被ガイド部が、シート状部材の側縁部における一面側から突出して側縁部に沿って延在する突状部を含むため、ガイド部による被ガイド部のガイドをより安定させることができる。
【００１７】
第５の態様に係る自動車用シートガイドによると、第１の部材が、シート状部材に対して側縁部を挟み込む形態で固定されるガイド用部材により形成されているため、被ガイド部を、ガイド用部材によりシート状部材を挟むことにより形成することができる。
【００１８】
第６の態様に係る自動車用シートガイドによると、第１の部分が、シート状部材の側縁部に対して縫い付けられるガイド用部材により形成されているため、被ガイド部を、ガイド用部材をシート状部材に縫い付けることにより形成することができる。
【００１９】
第７の態様に係る自動車用シートガイドによると、被ガイド部が、シート状部材の側方に開口するＵ字形状に形成されてシート状部材の側縁部の一面側に間隔をあけて設けられた複数の一面側Ｕ字部と、シート状部材の側方に開口するＵ字形状に形成されてシート状部材の側縁部の他面側に間隔をあけて設けられた複数の他面側Ｕ字部とを含んでいる。また、複数の一面側Ｕ字部と複数の他面側Ｕ字部とが、シート状部材の側縁部の延在方向において交互に設けられ、各端部が互い違いに連結されている。このため、所定形状に形成した一連の線状部材をシート状部材の側縁部に固定することにより第１の部分及び第２の部分を形成することができるため、被ガイド部のガイド部に対する引っ掛かりを抑制して、シート状部材をよりスムーズに引出収納することができる。
【図面の簡単な説明】
【００２０】
【図１】自動車用シートガイドの概略平面図である。
【図２】ガイド部による被ガイド部の案内状態を示している。
【図３】ガイド部材を示す図である。
【図４】シート状部材に設けられた被ガイド部を示す図である。
【図５】被ガイド部の側面図である。
【図６】被ガイド部の平面図である。
【図７】被ガイド部の底面図である。
【図８】図６のＶＩＩＩ−ＶＩＩＩ線断面図である。
【図９】図６のＩＸ−ＩＸ線断面図である。
【発明を実施するための形態】
【００２１】
以下、実施形態に係る自動車用シートガイド１０について説明する（図１参照）。自動車用シートガイド１０は、自動車の車内で引出収納されるシート状部材１２をガイドする装置である。この自動車用シートガイド１０は、窓を遮蔽するシェード装置、ラゲッジルームの上方を覆うトノカバー装置又はラゲッジルームと乗用空間とを自動車の前後に仕切るカーゴネット装置等に適用することができる。
【００２２】
自動車用シートガイド１０は、シート状部材１２と、被ガイド部２０と、ガイド部５０とを備える（図２参照）。概略的には、自動車用シートガイド１０は、シート状部材１２に取り付けられた被ガイド部２０を、ガイド部５０により案内することにより、シート状部材１２を一方向に引出収納可能に構成されている。
【００２３】
＜シート状部材＞
シート状部材１２は、一般的に四角形状に形成され、巻取装置９０に対して引出、収納可能に取り付けられている。このシート状部材１２は、布、樹脂シート（メッシュ状のものを含む）等を裁断、縫製することにより、窓を遮蔽可能（シェード装置）、ラゲッジルームの上方を覆うことが可能（トノカバー装置）又は乗用空間とラゲッジルームとを仕切り可能（カーゴネット装置）な形状及び大きさに形成されている。図１では、シート状部材１２が矩形状に形成されている例で説明する。
【００２４】
巻取装置９０は、車体に固定されるベースに対して軸周りに相対回転可能に支持された巻き取りシャフトを、コイルばね等の付勢部材により巻き取り方向に付勢した構成の装置である（詳細は図示省略）。シート状部材１２は、巻き取りシャフトの外周部に一端部（収納側端部）が取り付けられ、付勢部材の付勢力により巻き取り可能にされている。そして、シート状部材１２は、他端部（引出側端部）を付勢部材の付勢力に逆らって一方向に引っ張ることによって引き出され、引っ張る力を緩めることにより付勢部材の付勢力によって巻き取られて収納される。以下、シート状部材１２が引出、収納される方向を引出収納方向ということがある。
【００２５】
＜被ガイド部材＞
被ガイド部２０は、シート状部材１２の少なくとも一方の側縁部１４に第１の部分３２が側縁部１４の延在方向において間欠的に複数設けられると共に、複数の第１の部分３２の間に、第２の部分３４が設けられるか隙間があけられて形成されている。ここでは、被ガイド部２０は、シート状部材１２の両側縁部１４に設けられている。また、ここでは、複数の第１の部分３２の間には、第２の部分３４が設けられている（図４〜図９参照）。そして、被ガイド部２０は、第１の部分３２と第２の部分３４とが、シート状部材１２の側縁部１４に沿った方向に交互に並んで形成されている。
【００２６】
この被ガイド部２０（第１の部分３２）は、シート状部材１２に対して側縁部１４を挟み込む形態で固定されるガイド用部材により形成されている。ここでは、さらに、ガイド用部材は、シート状部材１２の側縁部１４に縫い付けられている。すなわち、シート状部材１２の側縁部１４は、被ガイド部２０の一部を兼ねている。
【００２７】
このガイド用部材は、合成樹脂で成型された１本の線状部材（ここでは断面視円形状又は角が丸められた多角形状）により構成されている。そして、被ガイド部２０は、ガイド用部材により形成された、複数の一面側Ｕ字部２２と、複数の他面側Ｕ字部２４と、複数の連結部２８とを含む。
【００２８】
一面側Ｕ字部２２は、シート状部材１２の側方に開口する平面視Ｕ字形状に形成され、シート状部材１２の側縁部１４の一面側に、側縁部１４の延在方向に間隔をあけて複数設けられている。また、他面側Ｕ字部２４は、シート状部材１２の側方に開口する平面視Ｕ字形状（一面側Ｕ字部２２と同形状）に形成され、シート状部材１２の側縁部１４の他面側に、側縁部１４の延在方向に間隔をあけて複数設けられている。すなわち、複数の一面側Ｕ字部２２と複数の他面側Ｕ字部２４とは、シート状部材１２の側縁部１４を間に挟んで配設されている。複数の一面側Ｕ字部２２及び複数の他面側Ｕ字部２４は、略平行に対向する一対の直線部２５と、一対の直線部２５の一端部同士を結ぶ弧状の湾曲部２６とを有している。この複数の一面側Ｕ字部２２及び複数の他面側Ｕ字部２４は、ガイド用部材が湾曲部２６で湾曲されて形成されている。
【００２９】
また、複数の一面側Ｕ字部２２と複数の他面側Ｕ字部２４とは、シート状部材１２の側縁部１４の延在方向において交互に設けられ、各端部が連結部２８により互い違いに連結されている。この連結部２８（及び一面側Ｕ字部２２及び他面側Ｕ字部２４の各直線部２５の連結側部分も）は、シート状部材１２の側縁部１４からその側方に突出するように設けられている。より具体的には、連結部２８は、シート状部材１２の側縁部１４の延在方向に直交する断面視において、ガイド用部材が該側縁部１４を挟むＶ字状又はＵ字状等に屈曲されて形成されている。
【００３０】
そして、線状部材を上記形態に曲げて形成したガイド用部材が、側縁部１４を挟み込むと共に側縁部１４に縫い付けられてシート状部材１２に対して固定されることにより、被ガイド部２０が形成されている。ここで、被ガイド部２０において、ガイド用部材をシート状部材１２に対して縫い付けた縫製部分を、縫製部４０という。縫製部４０は、合成樹脂製の糸等により形成されている。
【００３１】
第１の部分３２は、シート状部材１２の側縁部１４の少なくとも一面側から突出する部分を含む。すなわち、第１の部分３２は、突出部分を有することにより、後述するガイド部５０の開口部５２の開口縁部に対して引掛り可能に形成されている。ここでは、第１の部分３２は、シート状部材１２の両面側から突出する部分を含んでいる（図５参照）。
【００３２】
より具体的には、第１の部分３２は、シート状部材１２の側縁部１４の延在方向において、被ガイド部２０のうち、一面側Ｕ字部２２及び他面側Ｕ字部２４における一対の直線部２５のうちの連結される各一方がシート状部材１２の側縁部１４を挟んで対向する範囲の部分である（図６、図７参照）。この第１の部分３２は、前記範囲におけるシート状部材１２の側縁部１４、一面側Ｕ字部２２及び他面側Ｕ字部２４のうちの各直線部２５、湾曲部２６の端部側部分及び連結部２８を含む。
【００３３】
第２の部分３４は、シート状部材１２の厚さ方向において第１の部分３２より曲がりやすく形成された部分である。この第２の部分３４は、側縁部１４の延在方向一部分と、その一面側又は他面側から突出する部分を含む。
【００３４】
より具体的には、第２の部分３４は、シート状部材１２の側縁部１４の延在方向において、被ガイド部２０のうちの第１の部分３２の間の部分である（図６、図７参照）。この第２の部分３４は、前記範囲におけるシート状部材１２の側縁部１４及び湾曲部２６の中間部分（及び連結部２８の端部）を含む。
【００３５】
ここで、第１の部分３２と第２の部分３４との関係について、より具体的に説明する。第１の部分３２では、シート状部材１２の側縁部１４の延在方向に直交する断面視において、一面側Ｕ字部２２及び他面側Ｕ字部２４のうちの各直線部２５及び各湾曲部２６の端部側部分がシート状部材１２を挟んだ両側にそれぞれ存在する（図８参照）。これに対して、第２の部分３４は、シート状部材１２の側縁部１４の延在方向に直交する断面積が第１の部分３２より小さい形状に形成されている。より具体的には、第２の部分３４では、シート状部材１２の側縁部１４の延在方向に直交する断面視において、一面側Ｕ字部２２及び他面側Ｕ字部２４のいずれか一方のうちの湾曲部２６の中間部分がシート状部材１２の一面側及び他面側のいずれか一方に存在する（図９参照）。
【００３６】
この構成により、第１の部分３２より第２の部分３４の方が、剛性が低く、シート状部材１２の厚さ方向に曲がり易い。
【００３７】
また、第１の部分３２では、シート状部材１２の側縁部１４の両面側に一面側Ｕ字部２２及び他面側Ｕ字部２４の各直線部２５及び各湾曲部２６の端部側部分が存在する。これに対して、第２の部分３２では、シート状部材１２の側縁部１４のいずれか一方側に一面側Ｕ字部２２及び他面側Ｕ字部２４のいずれか一方の湾曲部２６の中間部が存在するだけである。このため、第２の部分３４は、第１の部分３２に比べて厚さ寸法が小さい。このことからも、第１の部分３２より第２の部分３４の方が、シート状部材１２の厚さ方向に曲がり易いことがいえる。
【００３８】
また、被ガイド部２０は、シート状部材１２の側縁部１４における一面側から突出すると共に側縁部１４に沿って延在する突状部４２を含む。ここでは、突状部４２は、縫製部４０により形成されている。すなわち、縫製部４０は、シート状部材１２の一面側では間欠的な縫い目に形成され、他面側ではシート状部材１２の側縁部１４に沿って延在する縫い目に形成されている。
【００３９】
＜ガイド部材＞
ガイド部５０は、被ガイド部２０を、長手方向に沿って移動可能に支持可能な部分である（図１〜図３参照）。このガイド部５０は、全体として長尺形状に形成され、開口部５２と収容部５６とを有する断面視略Ｃ字形の溝条部分を含んでいる。開口部５２は、ガイド部５０の一側部において長手方向に沿って開口するスリット状に形成されている。収容部５６は、開口部５２の奥側に設けられ、開口部５２より幅広な内部空間を有する形状に形成されている。
【００４０】
より具体的には、収容部５６は、被ガイド部２０をガイド部５０の長手方向に沿って移動可能に収容可能に形成されている。この収容部５６の内部空間は、被ガイド部２０の外部形状より大きく（ここでは、被ガイド部２０が収容部５６内でがたつくのを抑制する観点から僅かに大きく）設定されている。
【００４１】
開口部５２は、収容部５６内に配設される２０から延出するシート状部材１２を、ガイド部５０の外側方に引き出すための部分である。この開口部５２は、シート状部材１２の厚さ寸法より大きい隙間をあけるように設定されている。また、開口部５２の隙間は、被ガイド部２０の少なくとも第１の部分３２の厚さ寸法より小さく設定されている。すなわち、ガイド部５０は、収容部５６内に配設された被ガイド部２０が開口部５２を通じてガイド部５０の外方に退出しないような形状に形成されている。なお、開口部５２の隙間は、ここでは第２の部分３４の厚さ寸法より小さく設定されているが、第１の部分３２の厚さ寸法より小さければそれより大きく設定されていてもよい。
【００４２】
そして、シート状部材１２が巻取装置９０に対して引出、収納操作されると、被ガイド部２０がガイド部５０により引出収納方向にガイドされる。より具体的には、収容部５６内に配設された被ガイド部２０がガイド部５０の長手方向に沿って移動する。これと共に、開口部５２を通じてガイド部５０内からその外側方に延出したシート状部材１２が、開口部５２内を通ってガイド部５０の長手方向に沿って移動する。
【００４３】
ここでは、ガイド部５０は、シート状部材１２の両側縁部１４に設けられた各被ガイド部２０をそれぞれ支持可能に一対設けられている。このガイド部５０は、引出収納方向に沿って延在する姿勢で配設されている。一対のガイド部５０は、被ガイド部２０が収容部５６内に配設された状態で、シート状部材１２が幅方向に張られる間隔で配設されるとよい。
【００４４】
このガイド部５０は、金属材料又は合成樹脂材料等を射出成型等することにより形成することができる。
【００４５】
ガイド部５０は、シート状部材１２を外側方に延出させた状態で被ガイド部２０を移動可能に支持可能であればよく、上記形状に限らず種々の形状を採用することができる。
【００４６】
上記実施形態に係る自動車用シートガイド１０によると、シート状部材１２の少なくとも一方の側縁部１４に少なくとも一面側から突出する部分を含む第１の部分３２が側縁部１４の延在方向において間欠的に複数設けられると共に、複数の第１の部分３２の間に、側縁部１４の延在方向に直交する断面積が第１の部分３２より小さい第２の部分３４が設けられるか隙間があけられた被ガイド部２０を、長尺形状のガイド部５０によりその延在方向に沿って移動可能に支持する。この構成によると、第１の部分３２をガイド部５０によりガイド可能であると共に、複数の第１の部分３２の間で第１の部分３２よりしなやかに曲がる部分が確保され、シート状部材１２をしなやかに引出収納可能にすることができる。
【００４７】
また、第１の部分３２がシート状部材１２の両面側から突出する部分を含む構成によると、ガイド部５０による被ガイド部２０のガイドをより安定させることができる。
【００４８】
また、複数の第１の部分３２の間に側縁部１４の延在方向に直交する断面積が第１の部分３２より小さい第２の部分３４が設けられている構成によると、ガイド部５０による被ガイド部２０のガイドをより安定させることができる。
【００４９】
また、被ガイド部２０が、シート状部材１２の側縁部１４における一面側から突出して側縁部１４に沿って延在する突状部４２を含む構成によると、ガイド部５０による被ガイド部２０のガイドをより安定させることができる。
【００５０】
また、第１の部分３２が、シート状部材１２に対して側縁部１４を挟み込む形態で固定されるガイド用部材により形成されている構成によると、被ガイド部２０を、ガイド用部材によりシート状部材１２を挟むことにより形成することができる。
【００５１】
また、第１の部分３２が、シート状部材１２の側縁部１４に対して縫い付けられるガイド用部材により形成されている構成によると、被ガイド部２０を、ガイド用部材をシート状部材１２に縫い付けることにより形成することができる。
【００５２】
また、被ガイド部２０が、シート状部材１２の側方に開口するＵ字形状に形成されてシート状部材１２の側縁部１４の一面側に間隔をあけて設けられた複数の一面側Ｕ字部２２と、シート状部材１２の側方に開口するＵ字形状に形成されてシート状部材１２の側縁部１４の他面側に間隔をあけて設けられた複数の他面側Ｕ字部２４とを含んでいる。また、複数の一面側Ｕ字部２２と複数の他面側Ｕ字部２４とが、シート状部材１２の側縁部１４の延在方向において交互に設けられ、各端部が互い違いに連結されている。この構成によると、所定形状に形成した一連の線状部材をシート状部材１２の側縁部１４に固定することにより第１の部分３２及び第２の部分３４を形成することができるため、被ガイド部２０のガイド部５０に対する引っ掛かりを抑制して、シート状部材１２をよりスムーズに引出収納することができる。
【００５３】
これまで、シート状部材１２が矩形状に形成されている例で説明したが、自動車用シートガイド１０の適用箇所に応じて、台形状等の種々の形状を採用することができる。また、シート状部材１２として、伸縮可能な部材を採用することもできる。例えば、シート状部材が台形状に形成される場合、又は、台形状に伸ばされて使用される場合等には、ガイド部５０を台形の側縁部１４に沿って配設すればよい。
【００５４】
また、複数の第１の部分３２の間に第２の部分３４が設けられている例で説明してきたが、複数の第１の部分３２の間には隙間があけられていてもよい。すなわち、複数の第１の部分３２の間においては、シート状部材１２の側縁部１４も介在しない形状の被ガイド部も採用することができる。
【００５５】
また、被ガイド部２０の第１の部分３２について、ガイド用部材が、シート状部材１２の側縁部１４を挟み込むと共に側縁部１４に対して縫い付けられて固定されることにより形成されている例で説明したが、どちらか一方の固定方法により固定して形成されていてもよい。
【００５６】
また、ガイド用部材が１枚のシート状部材１２に対して固定されることにより被ガイド部２０が形成されている例で説明したが、これに限られるものではない。例えば、ガイド用部材が細長帯状のシート状部材に対してその長手方向に沿って固定されると共に、細長帯状の第１シート状部材が他の矩形等の第２シート状部材に縫合等されて取り付けられていてもよい。すなわち、第１シート状部材と第２シート状部材とにより、シート状部材が構成されていてもよい。
【００５７】
また、被ガイド部２０について、ガイド用部材が、１本の線状部材により構成され、シート状部材１２の側縁部１４を挟み込むと共に縫い付けられている例で説明したが、ガイド用部材は、個々にシート状部材１２の側縁部１４に固定可能な部材であってもよい。例えば、一対の挟み込み部材（ヒンジで折り曲げ可能に連結されていてもよい）が、シート状部材１２の側縁部１４を挟み込んで固定されていてもよい。また、ガイド用部材は、シート状部材１２の一方の面上に載置された状態で縫い付けられることにより固定されていてもよい。この場合、第２の部分は、シート状部材１２の側縁部１４のうちの複数の第１の部分の間に延在する部分である。
【００５８】
また、被ガイド部２０は、シート状部材１２の一方の側縁部１４のみに設けられていてもよい。この場合、ガイド部５０は、シート状部材１２の一方の側縁部１４に設けられた被ガイド部２０を支持可能に１つ設けられているとよい。
【００５９】
第１の部分３２は、シート状部材１２の一方の面側のみから突出する形状に形成されていてもよい。
【００６０】
シート状部材１２の引出側端部には、引出操作用の棒状の引出部材が取り付けられていてもよい。この場合、ガイド部５０は、被ガイド部２０の他に引出部材の端部を案内可能に形成されていてもよい。また、ガイド部５０は被ガイド部２０のみを案内し、ガイド部５０とは別に引出部材を案内するガイド部材を設けてもよい。この場合、ガイド部５０は、シート状部材１２の側方を覆うパネルが取り付けられ（又はパネルを有し）、シート状部材１２の引出収納動作に伴って姿勢変更可能に設けられていてもよい。
【符号の説明】
【００６１】
１０  自動車用シートガイド
１２  シート状部材
１４  側縁部
２０  被ガイド部
２２  一面側Ｕ字部
２４  他面側Ｕ字部
２５  直線部
３２  第１の部分
３４  第２の部分
４２  突状部
５０  ガイド部
【図１】
2013170390.tif 000003
【図２】
2013170390.tif 000004
【図３】
2013170390.tif 000005
【図４】
2013170390.tif 000006
【図５】
2013170390.tif 000007
【図６】
2013170390.tif 000008
【図７】
2013170390.tif 000009
【図８】
2013170390.tif 000010
【図９】
2013170390.tif 000011